(57)【特許請求の範囲】
【請求項１】
一方向へ長い第１ケーシングと、前記第１ケーシングの内部に位置する第２ケーシングと、前記第２ケーシングから一方向前方へ延びていて前記第１ケーシングから露出する清掃シャフトと、清掃テープと、前記清掃テープを巻き取った供給リールと、前記清掃テープを前記供給リールから引き取る引取リールとを備え、前記清掃テープを利用して光ファイバコネクタの接合端面を清掃する光ファイバコネクタ清掃用クリーナにおいて、
前記光ファイバコネクタ清掃用クリーナが、前記第２ケーシングを前記第１ケーシングの内部において一方向前方と後方とへ進退移動させる進退機構と、前記第２ケーシングの一方向後方への移動に伴って清掃テープを前記供給リールから清掃シャフトに向かって送り出すとともに、前記清掃シャフトから戻った清掃テープを前記引取リールに引き取らせる引取機構と、前記第２ケーシングの一方向後方への移動に伴って清掃テープの送り出しと同期しつつ清掃シャフトをその軸回りに回転させる回転機構とを含み、
前記進退機構が、前記第１ケーシングの内部の所定の位置に設置されて前記第２ケーシングが摺動可能に当接する固定部材と、前記第２ケーシングを前記固定部材に対して一方向前方へ付勢する第１付勢手段とから形成され、
前記回転機構が、前記固定部材に設置されて一方向へ延びる第１ラックギアと、前記第２ケーシングの内部に回転可能に設置された第１歯車と、前記清掃シャフトの基端部に連結された第２歯車とから形成され、前記第１歯車が、前記第１ラックギアに嵌合する第１の歯と、前記第２歯車に嵌合する第２の歯とを有し、
前記引取機構が、前記固定部材に設置されて前記一方向へ延びる第２ラックギアと、前記第２ケーシングの内部に回転可能に設置されて前記第２ラックギアに嵌合し、前記引取リールを回転させる第３歯車とから形成され、前記引取機構では、前記第２ケーシングの一方向後方への後退に伴って前記第２ラックギアが一方向前方へ移動するとともに、前記第２ラックギアに嵌合する前記第３歯車が回転しつつ前記引取リールが清掃テープの引取方向へ回転することを特徴とする光ファイバコネクタ清掃用クリーナ。
【請求項２】
前記進退機構では、前記清掃シャフトを一方向後方へ移動させる押圧力が作用すると、前記第２ケーシングが前記第１付勢手段に抗して一方向後方へ後退し、前記押圧力が解除されると、前記第２ケーシングが前記第１付勢手段によって一方向前方へ前進し、前記回転機構では、前記第２ケーシングの一方向後方と前方とへの移動に伴って前記第１ラックギアが一方向後方と前方とへ移動するとともに、前記第１の歯を介して前記第１ラックギアに嵌合する前記第１歯車が回転し、前記第１歯車の回転によって前記第２の歯に嵌合する前記第２歯車が回転しつつ該第２歯車に連結された清掃シャフトが正逆両方向へ回転する請求項１に記載の光ファイバコネクタ清掃用クリーナ。
【請求項３】
前記第３歯車が、前記引取リールを清掃テープの引取方向のみへ回転させるラチェット機構を有し、前記光ファイバコネクタ清掃用クリーナでは、前記第２ケーシングの一方向前方への前進に伴って前記第２ラックギアが一方向後方へ移動したときに、前記ラチェット機構によって前記第３歯車の回転が阻止される請求項１または請求項２に記載の光ファイバコネクタ清掃用クリーナ。
【請求項４】
前記光ファイバコネクタ清掃用クリーナが、前記引取リールにおける清掃テープの引き取り時に、該清掃テープを該引取リールの外周面の一方から他方に向かって移動させるとともに、該清掃テープを該引取リールの外周面の他方から一方に向かって移動させる案内機構を含む請求項１ないし請求項３のいずれかに記載の光ファイバコネクタ清掃用クリーナ。
【請求項５】
前記案内機構が、前記第２ケーシングの内部に回転可能に設置されて前記第３歯車と連動して回転する第４歯車と、前記第２ケーシングの内部に回転可能に設置されて前記第４歯車に嵌合する第５歯車と、前記引取リールの一方向前方に位置して前記第５歯車から延びる回転軸と、前記回転軸に挿通されて該回転軸の両側縁部の間を往復動する移動駒とから形成され、前記回転軸が、その周面の回り方向へ曲折して延びる案内溝を有し、前記移動駒が、前記回転軸に挿通される挿通孔と、前記挿通孔の径方向内方へ延びていて前記案内溝に係合する係合凸部と、前記移動駒を貫通して一方向へ延びるテープ挿通孔とを有する請求項４に記載の光ファイバコネクタ清掃用クリーナ。
【請求項６】
前記移動駒が、前記挿通孔の径方向へ延びる案内凹部を有し、前記案内凹部が、前記回転軸の軸方向へ延びる前記第２ケーシングの案内レールに係入している請求項５に記載の光ファイバコネクタ清掃用クリーナ。
【請求項７】
前記第５歯車が、減速歯車列から形成されている請求項５または請求項６に記載の光ファイバコネクタ清掃用クリーナ。
【請求項８】
前記光ファイバコネクタ清掃用クリーナが、前記第２ケーシングを前記一方向前方と後方とへ移動させて前記第１ケーシングの内部における該第２ケーシングの設置位置を固定する位置固定機構を含み、前記光ファイバコネクタ清掃用クリーナでは、前記位置固定機構によって前記第１ケーシングの内部における前記第２ケーシングの設置位置を変更することで、前記第１ケーシングからの前記清掃シャフトの露出長さを変更可能である請求項１ないし請求項７のいずれかに記載の光ファイバコネクタ清掃用クリーナ。
【請求項９】
前記位置固定機構が、前記第１ケーシングに形成されて前記一方向へ延びるガイド部と、前記固定部材に形成されて前記ガイド部を前記一方向前方と後方とへ移動可能であって該ガイド部の所定の位置に係合固定されるストッパー部とから形成されている請求項８に記載の光ファイバコネクタ清掃用クリーナ。
【請求項１０】
前記清掃テープが、極細繊維から作られた細長い布である請求項１ないし請求項９のいずれかに記載の光ファイバコネクタ清掃用クリーナ。
【請求項１１】
前記清掃シャフトが、前記第２ケーシングに固定されて前記一方向へ延びる固定パイプと、前記固定パイプの内部に回転可能かつ一方向へ進退移動可能に挿通されて基端部が前記回転機構に連結されたガイドパイプと、前記ガイドパイプの先端部に回転可能かつ一方向へ移動可能に連接されて前記シャフトの先端部を構成するテープ支持軸とから形成され、前記ガイドパイプが、第２付勢手段を介して前記固定パイプの一方向前方へ付勢され、前記テープ支持軸が、第３付勢手段を介して前記ガイドパイプの一方向前方へ付勢されている請求項１ないし請求項１０のいずれかに記載の光ファイバコネクタ清掃用クリーナ。
【請求項１２】
前記テープ支持軸の先端部には、前記一方向へ開口して前記テープ往路を移動する清掃テープを前記テープ支持軸の外側へ露出させる先端開口と、前記先端開口から前記清掃シャフトの径方向へ延びていて該先端開口から進出した清掃テープが摺動する先端摺動面と、前記清掃テープを前記先端摺動面から前記テープ復路に戻す先端ガイド面とが形成されている請求項１１に記載の光ファイバコネクタ清掃用クリーナ。
【発明の詳細な説明】
【技術分野】
【０００１】
本発明は、光通信機器等に組み込まれている光ファイバコネクタの接合端面（フェルール端面）を清掃するために用いられる光ファイバコネクタ清掃用クリーナに関する。
【背景技術】
【０００２】
光通信機器に係る機器類に組み込まれた光ファイバコネクタは、接続と切り離しが頻繁に行われる。光ファイバコネクタを切り離した際に塵埃や油脂等が光ファイバコネクタの接合端面（フェルール端面）に付着し、光信号の伝送性能の低下を生じる場合がある。そこで、光ファイバコネクタの着脱時にその接合端面の清掃が行われる。光ファイバコネクタの接合端面を清掃する清掃具として、先端部に清掃用繊維を巻きつけた綿棒のような清掃具が使用される場合がある。
【０００３】
しかし、綿棒のような清掃具を使用した場合、個人によるバラツキや清掃毎のバラツキ
があって均一な清掃が困難であるのみならず、光通信機器のような大量の光ファイバコネクタが組み込まれた装置では清掃に多くの時間を要する。また、清掃の際に清掃用繊維が脱落し、その繊維が接合端面に付着して伝送損失の増大の原因になる場合がある。そのような、問題を解決するために、清掃体の送り移動によって光ファイバコネクタの接合端面を拭き取り清掃する光ファイバコネクタ清掃用クリーナが提案されている（特許文献１参照）。
【先行技術文献】
【特許文献】
【０００４】
【特許文献１】特開２０１０−１９１４６５号公報
【発明の概要】
【発明が解決しようとする課題】
【０００５】
前記特許文献１に開示の光ファイバコネクタ清掃用クリーナは、回転シャフトをその軸方向へ進退移動させる進退機構と、進退移動と同期して回転シャフトをその軸回りに回転させる回転機構とを備えている。回転機構は、ケース本体に作られた挿入凸部と、回転シャフトの周面に作られたカム溝とから形成されている。この光ファイバコネクタ清掃用クリーナでは、挿入凸部がカム溝に係合し、回転シャフトが軸方向後方へ後退すると、凸部がカム溝を移動して回転シャフトが強制的に回転するとともに、回転シャフトが軸方向前方へ前進すると、凸部がカム溝を移動して回転シャフトが強制的に逆回転する。回転シャフトの回転運動を凸部とカム溝とから実現した場合、凸部のカム溝内での遊びによって凸部に連動するシャフトの回転が緩慢となり、回転シャフトの軸方向への進退動作に遅れてシャフトの回転動作が開始される場合があったり、シャフトの進退動作よりも速く回転動作が開始される場合がある。シャフトの回転動作が進退動作に遅れたり、回転動作が進退動作よりも早いと、清掃体の送出動作と清掃体の回転動作とが連動せず、接合端面の清掃が正確に行われない場合があり、接合端面の汚れを確実に拭き取ることができない場合がある。
【０００６】
本発明の目的は、操作が容易であって光ファイバコネクタの接合端面を確実に清掃することができる光ファイバコネクタ清掃用クリーナを提供することにある。本発明の他の目的は、清掃シャフトの回転動作と清掃テープの送り出し動作とが確実に連動し、光ファイバコネクタの接合端面を正確に清掃することができ、接合端面の汚れを確実に拭き取ることができる光ファイバコネクタ清掃用クリーナを提供することにある。
【課題を解決するための手段】
【０００７】
前記課題を解決するための本発明の前提は、一方向へ長い第１ケーシングと、第１ケーシングの内部に位置する第２ケーシングと、第２ケーシングから一方向前方へ延びていて第１ケーシングから露出する清掃シャフトと、清掃テープと、清掃テープを巻き取った供給リールと、清掃テープを供給リールから引き取る引取リールとを備え、清掃テープを利用して光ファイバコネクタの接合端面を清掃する光ファイバコネクタ清掃用クリーナである。
【０００８】
前記前提における本発明の特徴は、光ファイバコネクタ清掃用クリーナが、第２ケーシングを第１ケーシングの内部において一方向前方と後方とへ進退移動させる進退機構と、第２ケーシングの一方向後方への移動に伴って清掃テープを供給リールから清掃シャフトに向かって送り出すとともに、清掃シャフトから戻った清掃テープを引取リールに引き取らせる引取機構と、第２ケーシングの一方向後方への移動に伴って清掃テープの送り出しと同期しつつ清掃シャフトをその軸回りに回転させる回転機構とを含み、進退機構が、第１ケーシングの内部の所定の位置に設置されて第２ケーシングが摺動可能に当接する固定部材と、第２ケーシングを固定部材に対して一方向前方へ付勢する第１付勢手段とから形成され、回転機構が、固定部材に設置されて一方向へ延びる第１ラックギアと、第２ケーシングの内部に回転可能に設置された第１歯車と、清掃シャフトの基端部に連結された第２歯車とから形成され、第１歯車が、第１ラックギアに嵌合する第１の歯と、第２歯車に嵌合する第２の歯とを有し、引取機構が、固定部材に設置されて一方向へ延びる第２ラックギアと、第２ケーシングの内部に回転可能に設置されて第２ラックギアに嵌合し、引取リールを回転させる第３歯車とから形成され、引取機構では、第２ケーシングの一方向後方への後退に伴って第２ラックギアが一方向前方へ移動するとともに、第２ラックギアに嵌合する第３歯車が回転しつつ引取リールが清掃テープの引取方向へ回転することにある。
【０００９】
本発明の一例として、進退機構では、清掃シャフトを一方向後方へ移動させる押圧力が作用すると、第２ケーシングが第１付勢手段に抗して一方向後方へ後退し、押圧力が解除されると、第２ケーシングが第１付勢手段によって一方向前方へ前進し、回転機構では、第２ケーシングの一方向後方と前方とへの移動に伴って第１ラックギアが一方向後方と前方とへ移動するとともに、第１の歯を介して第１ラックギアに嵌合する第１歯車が回転し、第１歯車の回転によって第２の歯に嵌合する第２歯車が回転しつつ第２歯車に連結された清掃シャフトが正逆両方向へ回転する。
【００１０】
本発明の他の一例としては、第３歯車が引取リールを清掃テープの引取方向のみへ回転させるラチェット機構を有し、光ファイバコネクタ清掃用クリーナでは、第２ケーシングの一方向前方への前進に伴って第２ラックギアが一方向前方へ移動したときに、ラチェット機構によって第３歯車の回転が阻止される。
【００１１】
本発明の他の一例としては、光ファイバコネクタ清掃用クリーナが、引取リールにおける清掃テープの引き取り時に、清掃テープを引取リールの外周面の一方から他方に向かって移動させるとともに、清掃テープを引取リールの外周面の他方から一方に向かって移動させる案内機構を含む。
【００１２】
本発明の他の一例としては、案内機構が、第２ケーシングの内部に回転可能に設置されて第３歯車と連動して回転する第４歯車と、第２ケーシングの内部に回転可能に設置されて第４歯車に嵌合する第５歯車と、引取リールの一方向前方に位置して第５歯車から延びる回転軸と、回転軸に挿通されて該回転軸の両側縁部の間を往復動する移動駒とから形成され、回転軸が、その周面の回り方向へ曲折して延びる案内溝を有し、移動駒が、回転軸に挿通される挿通孔と、挿通孔の径方向内方へ延びていて案内溝に係合する係合凸部と、移動駒を貫通して一方向へ延びるテープ挿通孔とを有する。
【００１３】
本発明の他の一例としては、移動駒が挿通孔の径方向へ延びる案内凹部を有し、案内凹部が回転軸の軸方向へ延びる第２ケーシングの案内レールに係入している。
【００１４】
本発明の他の一例としては、第５歯車が減速歯車列から形成されている。
【００１５】
本発明の他の一例としては、光ファイバコネクタ清掃用クリーナが第２ケーシングを一方向前方と後方とへ移動させて第１ケーシングの内部における該第２ケーシングの設置位置を固定する位置固定機構を含み、光ファイバコネクタ清掃用クリーナでは、位置固定機構によって第１ケーシングの内部における第２ケーシングの設置位置を変更することで、第１ケーシングからの清掃シャフトの露出長さを変更可能である。
【００１６】
本発明の他の一例としては、位置固定機構が、第１ケーシングに形成されて一方向へ延びるガイド部と、固定部材に形成されてガイド部を一方向前方と後方とへ移動可能であって該ガイド部の所定の位置に係合固定されるストッパー部とから形成されている。
【００１７】
本発明の他の一例としては、清掃テープが極細繊維から作られた細長い布である。
【００１８】
本発明の他の一例としては、清掃シャフトが、第２ケーシングに固定されて一方向へ延びる固定パイプと、固定パイプの内部に回転可能かつ一方向へ進退移動可能に挿通されて基端部が回転機構に連結されたガイドパイプと、ガイドパイプの先端部に回転可能かつ一方向へ移動可能に連接されてシャフトの先端部を構成するテープ支持軸とから形成され、ガイドパイプが第２付勢手段を介して固定パイプの一方向前方へ付勢され、テープ支持軸が第３付勢手段を介して前記ガイドパイプの一方向前方へ付勢されている。
【００１９】
本発明の他の一例として、テープ支持軸の先端部には、一方向へ開口してテープ往路を移動する清掃テープをテープ支持軸の外側へ露出させる先端開口と、先端開口から清掃シャフトの径方向へ延びていて該先端開口から進出した清掃テープが摺動する先端摺動面と、清掃テープを先端摺動面からテープ復路に戻す先端ガイド面とが形成されている。
【発明の効果】
【００２０】
本発明に係る光ファイバコネクタ清掃用クリーナによれば、第１ケーシングの内部に設置されて第２ケーシングが摺動可能に当接する固定部材と、第２ケーシングを固定部材に対して一方向前方へ付勢する第１付勢手段とから進退機構が形成され、固定部材に設置されて一方向へ延びる第１ラックギアと、第２ケーシングの内部に回転可能に設置された第１歯車と、清掃シャフトの基端部に連結された第２歯車とから回転機構が形成されており、第２ケーシングの一方向後方と一方向前方とへの移動に伴って第１ラックギアが一方向後方と一方向前方とへ移動するとともに、第１の歯を介して第１ラックギアに嵌合する第１歯車が回転し、第１歯車の回転によって第２の歯に嵌合する第２歯車が回転しつつ第２歯車に連結された清掃シャフトが正逆両方向へ回転するから、進退機構によって第２ケーシングを第１ケーシングの内部において一方向前方と一方向後方とへ進退移動させることにより、清掃シャフトをその軸回りの正逆両方向へ確実に回転させることができる。光ファイバコネクタ清掃用クリーナは、清掃シャフトの先端部を光ファイバコネクタに挿入し、第２ケーシングを一方向後方へ移動させると、清掃テープの送り出しに同期して清掃シャフトがその軸回りに回転するから、清掃テープの送り出し動作と清掃シャフトの回転動作とを同時に行うことができ、清掃テープを移動させつつ回転させながら光ファイバコネクタの接合端面に接触させることができる。光ファイバコネクタ清掃用クリーナは、光ファイバコネクタの接合端面の清掃を容易に行うことができるのみならず、清掃シャフトが正逆両方向へ回転することで、清掃テープの送り出し動作と清掃シャフトの回転動作とが連動し、清掃テープの送り出しとテープの回転とが同時に行われるから、テープの送り出しとテープの回転とによって光ファイバコネクタの接合端面の清掃を正確に行うことができ、接合端面の汚れを確実に拭き取ることができる。
【００２１】
進退機構において、清掃シャフトを一方向後方へ移動させる押圧力が作用すると、第２ケーシングが第１付勢手段に抗して一方向後方へ後退し、押圧力が解除されると、第２ケーシングが第１付勢手段によって一方向前方へ前進し、回転機構において、第２ケーシングの一方向後方と前方とへの移動に伴って第１ラックギアが一方向後方と一方向前方とへ移動するとともに、第１の歯を介して第１ラックギアに嵌合する第１歯車が回転し、第１歯車の回転によって第２の歯に嵌合する第２歯車が回転しつつ第２歯車に連結された清掃シャフトが正逆両方向へ回転する光ファイバコネクタ清掃用クリーナは、進退機構と回転機構とが連動し、第２ケーシングを第１ケーシングの内部において一方向前方と一方向後方とへ進退移動させることによって清掃シャフトをその軸回りの正逆両方向へ確実に回転させることができる。光ファイバコネクタ清掃用クリーナは、清掃シャフトが正逆両方向へ回転することで、清掃テープの送り出しと同時にテープが回転するから、テープの送り出しとテープの回転とによって光ファイバコネクタの接合端面の清掃を正確に行うことができ、接合端面の汚れを確実に拭き取ることができる。
【００２２】
固定部材に設置されて一方向へ延びる第２ラックギアと、第２ケーシングの内部に回転可能に設置されて第２ラックギアに嵌合し、引取リールを回転させる第３歯車とから引取機構が形成され、引取機構において、第２ケーシングの一方向後方への後退に伴って第２ラックギアが一方向後方へ移動するとともに、第２ラックギアに嵌合する第３歯車が回転しつつ引取リールが清掃テープの引取方向へ回転する光ファイバコネクタ清掃用クリーナは、第２ラックギアとそれに嵌合する第３歯車とを利用することで、進退機構と引取機構とが連動し、第２ケーシングを第１ケーシングの内部において一方向前方と一方向後方とへ進退移動させるだけの操作で清掃テープを確実に送り出すことができる。光ファイバコネクタ清掃用クリーナは、清掃シャフトが正逆両方向へ回転することで、清掃テープの送り出しと同時にテープが回転するから、テープの送り出しとテープの回転とによって光ファイバコネクタの接合端面の清掃を正確に行うことができ、接合端面の汚れを確実に拭き取ることができる。
【００２３】
第３歯車が引取リールを清掃テープの引取方向のみへ回転させるラチェット機構を有し、第２ケーシングの一方向前方への前進に伴って第２ラックギアが一方向前方へ移動したときに、ラチェット機構によって第３歯車の回転が阻止される光ファイバコネクタ清掃用クリーナは、第１ケーシングの内部において第２ケーシングが一方向前方へ前進し、それによって第２ラックギアが一方向前方へ移動したとしても、ラチェット機構によって第３歯車が回転することはないから、引取リールに引き取られた清掃テープの引取リールからの送り出し（逆戻り）を防止することができ、テープを供給リールから確実に送り出すことができる。
【００２４】
引取リールにおける清掃テープの引き取り時に、清掃テープを引取リールの外周面の一方から他方に向かって移動させるとともに、清掃テープを引取リールの外周面の他方から一方に向かって移動させる案内機構を有する光ファイバコネクタ清掃用クリーナは、引取リールにおける清掃テープの引き取り時に、清掃テープが引取リールの外周面の一箇所に巻き取られると、その箇所にテープが偏り、その箇所のみにおいてテープの嵩が増え、引取リールにおけるテープの引き取りが早期に飽和状他になり、多くのテープを引き取ることができず、光ファイバコネクタ清掃用クリーナに多くのテープを仕込むことができないが、この光ファイバコネクタ清掃用クリーナは、案内機構によって清掃テープが引取リールの外周面を移動しつつリールに引き取られるから、テープが引取リールに偏った状態で引き取られることはなく、テープが引取リールの全域に満遍なく引き取られ、光ファイバコネクタ清掃用クリーナに多くのテープを仕込むことができ、光ファイバコネクタ清掃用クリーナを長期間継続して使用することができる。
【００２５】
第２ケーシングの内部に回転可能に設置されて第３歯車と連動して回転する第４歯車と、第２ケーシングの内部に回転可能に設置されて第４歯車に嵌合する第５歯車と、引取リールの一方向前方に位置して第５歯車から延びる回転軸と、回転軸に挿通されて該回転軸の一方と他方との間（両側縁部の間）を往復動する移動駒とから案内機構が形成され、回転軸がその周面の回り方向へ曲折して延びる案内溝を有し、移動駒が回転軸に挿通される挿通孔と挿通孔の径方向内方へ延びていて案内溝に係合する係合凸部と移動駒を貫通して一方向へ延びるテープ挿通孔とを有する光ファイバコネクタ清掃用クリーナは、回転軸の回転によって、案内溝に係合する案内凸部を有する移動駒が回転軸の一方と他方との間（両側縁部の間）を往復動し、テープ挿通孔に挿通された清掃テープが移動駒によって引取リールの外周面の一方から他方に向かって移動するとともに、テープが引取リールの外周面の他方から一方に向かって移動するから、テープが引取リールに偏った状態で引き取られることはなく、テープが引取リールの全域に満遍なく引き取られ、光ファイバコネクタ清掃用クリーナに多くのテープを仕込むことができ、光ファイバコネクタ清掃用クリーナを長期間継続して使用することができる。
【００２６】
移動駒が挿通孔の径方向へ延びる案内凹部を有し、案内凹部が回転軸の軸方向へ延びる第２ケーシングの案内レールに係入している光ファイバコネクタ清掃用クリーナは、移動駒の案内凹部が第２ケーシングの案内レールに係入することによって、案内凸部と案内溝との係合が解除されることはなく、回転軸の回転によって、案内溝に係合する案内凸部を有する移動駒が回転軸の一方と他方との間（両側縁部の間）を確実に往復動する。光ファイバコネクタ清掃用クリーナは、移動駒が回転軸の両側縁部の間を確実に往復動し、テープ挿通孔に挿通された清掃テープが移動駒によって引取リールの外周面の一方から他方に向かって移動するとともに、テープが引取リールの外周面の他方から一方に向かって移動するから、テープが引取リールに偏った状態で引き取られることはなく、テープが引取リールの全域に満遍なく引き取られ、光ファイバコネクタ清掃用クリーナに多くのテープを仕込むことができ、クリーナを長期間継続して使用することができる。
【００２７】
第５歯車が減速歯車列から形成されている光ファイバコネクタ清掃用クリーナは、減速歯車列によって第４歯車の回転速度よりも回転軸のそれが減速され、移動駒が回転軸の一方と他方との間（両側縁部の間）をゆっくりと往復動し、回転軸の回転速度を減速した状態で清掃テープが引取リールに引き取られるから、案内機構によって清掃テープが引取リールの外周面の一方と他方との間を移動したとしても、テープが絡まることはなく、清掃テープが絡まることによるテープの送り出し不能を防ぐことができる。
【００２８】
第２ケーシングを一方向前方と一方向後方とへ移動させて第１ケーシングの内部における第２ケーシングの設置位置を固定する位置固定機構を有し、位置固定機構によって第１ケーシングの内部における第２ケーシングの設置位置を変更することで、第１ケーシングからの清掃シャフトの露出長さを変更可能な光ファイバコネクタ清掃用クリーナは、清掃対象の光ファイバコネクタの種類によっては清掃シャフトの露出長さを短くしたり、または、長くすることで、光ファイバコネクタの清掃が容易になる場合があり、シャフトの露出長さを自由に変更できることが望ましいが、この光ファイバコネクタ清掃用クリーナは、位置固定機構によって第１ケーシングの内部における第２ケーシングの設置位置を変更することで、清掃シャフトの露出長さを調節することができるから、光ファイバコネクタの種類に合わせてシャフトの露出長さを変えることができ、各種のコネクタを容易に清掃することができる。
【００２９】
第１ケーシングに形成されて一方向へ延びるガイド部と、固定部材に形成されてガイド部を一方向前方と後方とへ移動可能であってガイド部の所定の位置に係合固定されるストッパー部とから位置固定機構が形成されている光ファイバコネクタ清掃用クリーナは、第１ケーシングのガイド部の所定の位置で固定部材のストッパー部を係合固定させることで、固定部材が第１ケーシングに固定されるから、ガイド部に対するストッパー部の係合位置を変えることによって、第１ケーシングの内部における第２ケーシングの設置位置を変更することができる。光ファイバコネクタ清掃用クリーナは、第１ケーシングの内部における第２ケーシングの設置位置を変更することで、清掃シャフトの露出長さを調節することができるから、光ファイバコネクタの種類に合わせてシャフトの露出長さを変えることができ、各種の光ファイバコネクタを容易に清掃することができる。
【００３０】
清掃テープが極細繊維から作られた細長い布である光ファイバコネクタ清掃用クリーナは、極細繊維の集合体である清掃テープを使用することで、光ファイバコネクタの接合端
面に付着した汚れを極細繊維に捕集させることができるから、光ファイバコネクタの接合端面の汚れを確実に拭き取ることができ、光ファイバコネクタの接合端面を確実に清掃することができる。
【００３１】
清掃シャフトが固定パイプとガイドパイプとシャフトの先端部を構成するテープ支持軸とから形成され、ガイドパイプが第２付勢手段を介して固定パイプの一方向前方へ付勢され、テープ支持軸が第３付勢手段を介してガイドパイプの一方向前方へ付勢されている光ファイバコネクタ清掃用クリーナは、清掃シャフトの先端部を光ファイバコネクタに挿入し、第２ケーシングを第１付勢手段に抗して一方向後方へ後退させたときに、テープ支持軸が所定の押圧力で光ファイバコネクタの接合端面に当接するが、必要以上の押圧力がコネクタの接合端面に作用すると、ガイドパイプが第２付勢手段に抗して一方向後方へ後退するとともに、テープ支持軸が第３付勢手段に抗して一方向後方へ後退するから、接合端面に作用する押圧力を低下させることができ、適度な押圧力でテープ支持軸を接合端面に押し当てることができる。光ファイバコネクタ清掃用クリーナは、光ファイバコネクタの接合端面に必要以上の押圧力が作用することはないから、光ファイバコネクタの接合端面を損傷させることなく、接合端面の汚れを拭き取ることができる。
【００３２】
一方向へ開口してテープ往路を移動する清掃テープをテープ支持軸の外側へ露出させる先端開口と、先端開口から清掃シャフトの径方向へ延びていて先端開口から進出した清掃テープが摺動する先端摺動面と、テープを先端摺動面からテープ復路に戻す先端ガイド面とがテープ支持軸の先端部に形成されている光ファイバコネクタ清掃用クリーナは、テープ往路を進んだ清掃テープがテープ支持軸の先端部の先端開口から支持軸の外側に露出した後、テープが支持軸の先端摺動面を摺動するとともに、先端ガイド面を通ってテープ復路に戻るから、清掃テープのテープ支持軸の先端部からの脱落を防ぐことができることはもちろん、テープの送り出しとテープの回転とを行いつつ光ファイバコネクタの接合端面を確実に清掃することができる。
【図面の簡単な説明】
【００３３】
【図１】一例として示す光ファイバコネクタ清掃用クリーナの斜視図。
【図２】係合部分が第２係合スリットに係合した状態の光ファイバコネクタ清掃用クリーナの斜視図。
【図３】第１ケーシングの斜視図。
【図４】固定部材の斜視図。
【図５】第２ケーシングの斜視図。
【図６】清掃シャフトの分解斜視図。
【図７】テープ支持軸の上面図。
【図８】テープ支持軸の底面図。
【図９】図７の９−９線矢視断面図。
【図１０】露出軸の正面図。
【図１１】露出軸の先端部の斜視図。
【図１２】光ファイバコネクタ清掃用クリーナの側面図。
【図１３】光ファイバコネクタ清掃用クリーナの上面図。
【図１４】光ファイバコネクタ清掃用クリーナの底面図。
【図１５】回転軸に形成された案内溝の一例を示す図。
【図１６】回転軸に形成された案内溝の一例を示す図。
【図１７】回転軸に形成された案内溝の一例を示す図。
【図１８】一例として示す移動駒の正面図。
【図１９】光ファイバコネクタの接合端面を清掃する手順の一例を説明する図。
【図２０】図１９から続く手順を説明する図。
【図２１】光ファイバコネクタ清掃用クリーナの側面図。
【図２２】光ファイバコネクタ清掃用クリーナの上面図。
【図２３】光ファイバコネクタ清掃用クリーナの底面図。
【発明を実施するための形態】
【００３４】
一例として示す光ファイバコネクタ清掃用クリーナ１０の斜視図である図１等の添付の図面を参照し、本発明に係る光ファイバコネクタ清掃用クリーナの詳細を説明すると、以下のとおりである。なお、図２は、係合部分４８が第２係合スリット２５に係合した状態の光ファイバコネクタ清掃用クリーナ１０の斜視図であり、図３は、第１ケーシング１１の斜視図である。図４は、固定部材１２の斜視図であり、図５は、第２ケーシング１３の斜視図である。
【００３５】
図１〜図５では、一方向（軸方向）を矢印Ａで示し、横方向（径方向）を矢印Ｂで示すとともに、上下方向（径方向）を矢印Ｃで示す。図１では、係合部分４８が第１係合スリット２４に係合した状態を示す。図５では、第２ケーシング１３に設置される軸や軸受け等の図示を省略している。光ファイバコネクタ清掃用クリーナ１０は、清掃テープＴを利用して光ファイバコネクタ１１５（図１９参照）の接合端面（フェルール端面）の清掃に使用される。なお、清掃テープＴは、極細繊維から作られた細長い布である。清掃テープＴには所定の張力が加えられ、テープＴが後記する供給リール９３と引取リール９４との間で緩みなく張られている。
【００３６】
光ファイバコネクタ清掃用クリーナ１０は、一方向へ長い四角筒状の第１ケーシング１１と、第１ケーシング１１に設置固定される固定部材１２と、第１ケーシング１１の内部に位置する一方向へ長い四角筒状の第２ケーシング１３と、第２ケーシング１３の一方向前方へ延びる清掃シャフト１４とを備えている。
【００３７】
第１ケーシング１１は、図３に示すように、一方向へ延びる略矩形の頂壁１５および略矩形の底壁１６と、一方向へ延びる略矩形の両側壁１７，１８と、略矩形の前壁１９および略矩形の後壁２０とを有する６面体であり、その内部に固定部材１２と第２ケーシング１３とを収容する収容スペース２１が画成されている。第１ケーシング１１は、プラスチックから作られている。なお、それら壁１５〜２０の形状を矩形に限定するものではなく、第１ケーシング１１の形状を四角筒状に限定するものではない。
【００３８】
第１ケーシング１１の頂壁１５の略中央には、一方向へ延びるガイド部２２が形成されている。ガイド部２２は、固定部材１２の後記するストッパー部４６とともに位置固定機構を形成している。ガイド部２２は、頂壁１５を切り取ることによって作られたスリットであり、一方向へ帯状に延びる摺動スリット２３と、摺動スリット２３の略中間に作られた第１係合スリット２４と、摺動スリット２３の先端に作られた第２係合スリット２５とから形成されている。それら係合スリット２４，２５は、横方向の寸法が摺動スリット２３のそれよりも大きい。なお、ガイド部２２には一方向へ並ぶ２つの第１および第２係合スリット２４，２５が作られているが、係合スリットの数に特に限定はなく、ガイド部２２に３つ以上の係合スリットが作られていてもよい。図１に示すように、第１係合スリット２４には、固定部材１２のストッパー部４６が着脱可能に係合している。
【００３９】
第１ケーシング１１の前壁１９であって頂壁１５の側には、清掃シャフト１４（後記する固定パイプ６１）を挿通する円形の貫通孔２６が穿孔されている。前壁１９には、先端にキャップ２７が連結された吊し紐２８が連接されている。光ファイバコネクタ清掃用クリーナ１０の不使用時にキャップ２７を清掃シャフト１４の先端部（後記するテープ支持軸６４）に被せることで、シャフト１４の先端部（テープ支持軸６４）への塵埃や油分等の汚れの付着を防ぐことができる。
【００４０】
固定部材１２は、第１ケーシング１１と第２ケーシング１３との間に介在し、第１ケーシング１１の所定の位置に設置され、その位置に固定されている。固定部材１２は、プラスチックから作られている。固定部材１２は、図４に示すように、第１ケーシング１１の側壁１７の内面に当接下に固定される略矩形の第１当接板２９と、第１ケーシング１１の頂壁１５の内面に当接下に固定される略矩形の第２当接板３０とを有する。固定部材１２は、第２ケーシング１３を固定（不動）としたときに、第２ケーシング１３に対して一方向前方と一方向後方とに進退移動する。
【００４１】
固定部材１２の第１当接板２９は、一方向前方に位置して上下方向へ延びる前端部３１と、一方向後方に位置して上下方向へ延びる後端部３２と、上下方向下方に位置して一方向へ延びる下端部３３と、上下方向上方に位置して一方向へ延びる上端部３４とを有する。図１において第１当接板２９は、第１ケーシング１１の側壁１７の内面と第２ケーシング１３の後記する側壁５１の外面との間に介在し、第２ケーシング１３の側壁５１に対して摺動可能に当接している。
【００４２】
固定部材１２の第２当接板３０は、一方向前方に位置して横方向へ延びる前端部３５と、一方向後方に位置して横方向へ延びる後端部３６と、前後端部３５，３６の間で一方向へ延びる両側縁部３７，３８とを有する。図１において第２当接板３０は、第１ケーシング１１の頂壁１５の内面と第２ケーシング１３の後記する頂壁４９の外面との間に介在し、第２ケーシング１３の頂壁４９に摺動可能に当接している。固定部材１２は、第１当接板２９の上端部３４と第２当接板３０の側縁部３７とが一連につながる略アングル形状に成型されている。
【００４３】
第１当接板２９の前端部３１であって下端部３３近傍には、スプリング支持座３９が連接されている。スプリング支持座３９は、前端部３１から横方向へ延びる連結部４０と、後記するコイルスプリング９２（第１付勢手段）の基端部を収容する収容凹部４１とから形成されている。固定部材１２を第１および第２ケーシング１１，１３に摺動可能に設置すると、スプリング支持座３９が第２ケーシング１３の内部に位置する。第１当接板２９の略中央には、一方向へ延びる案内スリット４２が穿孔されている。第１当接板２９の下端部３３であって前端部３１近傍には、横方向へ延びる係止板４３が連接されている。
【００４４】
第１当接板２９の下端部３３の略中央には、一方向へ延びるラックギア４４（第２ラックギア）が形成されている。ラックギア４４は、第１当接板２９の下端部３３に一連に連接され、下端部３３から横方向内方へ向かって延出している。ラックギア４４は、固定部材１２が一方向前方へ前進すると、それにともなって一方向前方へ移動し、固定部材１２が一方向後方へ後退すると、それにともなって一方向後方へ移動する。
【００４５】
第２当接板３０の側縁部３８であって前端部３５近傍には、一方向へ延びるラックギア４５（第１ラックギア）が形成されている。ラックギア４５は、第２当接板３０の側縁部３８に一連に連接され、側縁部３８から下方へ向かって延出している。ラックギア４５は、固定部材１２が一方向前方へ前進すると、それにともなって一方向前方へ移動し、固定部材１２が一方向後方へ後退すると、それにともなって一方向後方へ移動する。
【００４６】
第２当接板３０の前端部３５側の略中央には、一方向へ延びるストッパー部４６が形成されている。ストッパー部４６は、第２当接板３０の略中央を帯状に切断して作られ、一方向へ長い弾性部分４７と、弾性部分４７の先端に形成された係合部分４８とを有する。弾性部分４７は、その基端が第２当接板３０に一連につながり、基端から先端に向かって上下方向上方へ上り勾配に傾斜している。係合部分４８は、第２当接板３０から上下方向上方へ離間している。係合部分４８は、その横方向の寸法が弾性部分４７およびガイド部２２の摺動スリット２３のそれよりも大きく、ガイド部２２の第１および第２係合スリット２４，２５のそれと略同一またはそれよりもわずかに小さい。
【００４７】
ストッパー部４６の係合部分４８がガイド部２２の摺動スリット２３に位置する場合、係合部分４８の横方向の寸法がスリット２２のそれよりも大きいから、係合部分４８が摺動スリット２３の下方であってスリット２２に摺動可能に当接するとともに、上方へ傾斜するストッパー部４６の弾性部分４７に下方への押圧力が作用し、弾性部分４７がその弾性力に抗して下方へ押圧されて一方向へ略水平に延びる。この状態で固定部材１２を一方向前方または一方向後方へ移動させ、第１ケーシング１１に対する固定部材１２の位置を変更することができる。
【００４８】
固定部材１２を一方向前方または一方向後方へ移動させてストッパー部４６の係合部分４８がガイド部２２の第１係合スリット２４または第２係合スリット２５に位置すると、係合部分４８の横方向の寸法がそれら係合スリット２４，２５のそれと略同一またはわずかに小さいから、係合部分４８が第１係合スリット２４や第２係合スリット２５に進入することができ、ストッパー部４６の弾性部分４７に作用していた押圧力が解除され、弾性部分４７がその弾性力によって上方へ傾斜する。弾性部分４７が上方へ傾斜すると、係合部分４８が第１係合スリット２４または第２係合スリット２５に進入し、係合部分４８がそれら係合スリット２４，２５に係合して固定部材１２の一方向前方または一方向後方への移動が阻止され、固定部材１２が第１係合スリット２４または第２係合スリット２５の位置で第１ケーシング１１に固定される。
【００４９】
係合スリット２４，２５に係合した係合部分４８によって固定部材１２が第１ケーシング１１に固定された状態から固定部材１２を一方向前方または一方向後方へ移動させるには、ストッパー部４６の弾性部分４７の弾性力に抗して係合部分４８を上下方向下方へ押圧し、係合部分４８を下方へ押し下げて係合部分４８と係合スリット２４，２５との係合を解除しつつ、第１ケーシング１１に対して固定部材１２が一方向前方または一方向後方へ移動するように固定部材１２を動かす。固定部材１２を動かすと、ストッパー部４６の係合部分４８がガイド部２２の摺動スリット２３の下方に進入し、係合部分４８がスリット２３に摺動可能に当接する。この状態で固定部材１２を一方向前方または一方向後方へ移動させることで、係合部分４８を第１係合スリット２４から第２係合スリット２５へ移動させることができるとともに、係合部分４８を第２係合スリット２５から第１係合スリット２４へ移動させることができる。
【００５０】
係合部分４８を第１係合スリット２４から第２係合スリット２５へ次第に移動させると、清掃シャフト１４が第１ケーシング１１の貫通孔２６から次第に露出する。係合部分４８が第１係合スリット２４に係合した場合と比較し、係合部分４８が第２係合スリット２５に係合した状態では、図２に示すように、清掃シャフト１４の第１ケーシング１１からの露出長さＬ１が長くなる。
【００５１】
清掃対象の光ファイバコネクタ１１５の種類によっては清掃シャフト１４の露出長さを短くしたり、または、長くすることで、光ファイバコネクタ１１５の清掃が容易になる場合があり、シャフト１４の露出長さを自由に変更できることが望ましいが、この光ファイバコネクタ清掃用クリーナ１０は、位置固定機構によって第１ケーシング１１の内部における第２ケーシング１３の設置位置を変更することで、清掃シャフト１４の露出長さを調節することができるから、光ファイバコネクタ１１５の種類に合わせてシャフト１４の露出長さを変えることができ、各種の光ファイバコネクタ１１５を容易に清掃することができる。
【００５２】
第２ケーシング１３は、図５に示すように、一方向へ延びる略矩形の頂壁４９および略矩形の底壁５０と、一方向へ延びる略矩形の両側壁５１，５２と、略矩形の前壁５３および略矩形の後壁５４とを有する６面体であり、その内部に後記する各種機構を収容する収容スペース５５が画成されている。第２ケーシング１３は、プラスチックから作られている。第２ケーシング１３は、一方向の長さ寸法が第１ケーシング１１のそれよりも小さく、第１ケーシング１１の収容スペース２１に納まる大きさを有する。なお、それら壁４９〜５４の形状を矩形に限定するものではなく、第２ケーシング１３の形状を四角筒状に限定するものではない。
【００５３】
第２ケーシング１３の頂壁４９および側壁５２の前壁５３近傍には、一方向へ開口する第１開口部５６が穿孔されている。第２ケーシング１３の底壁５０の略中央と側壁５１の下方とには、一方向へ開口する第２開口部５７が穿孔されている。第１ケーシング１１に固定部材１２を固定するとともに第２ケーシング１３を設置（収容）すると、ラックギア４５（第１ラックギア）が第１開口部５６に位置し、ラックギア４４（第２ラックギア）が第２開口部５７に位置する。第２ケーシング１３の側壁５１の略中央には、固定部材１２の案内スリット４２に係入する一方向へ長い案内バー１１６が作られている。
【００５４】
第２ケーシング１３の前壁５３であって頂壁４９の側には、清掃シャフト１４（後記するガイドパイプ６２の連結軸７６）を挿通する円形筒状の貫通孔５８が穿孔されている。第２ケーシング１３の前壁５３であって底壁５０の側には、一方向後方へ延びるスプリング支持凸部５９が設置されている。スプリング支持凸部５９には、コイルスプリング９２の先端部が進入し、先端部が支持される。第２ケーシング１３の底壁５０であって前壁５３の側には、固定部材１２の係止板４３の後端が当接する段差部６０が作られている。第２ケーシング１３は、固定部材１２（第１ケーシング１１）を固定（不動）としたときに、固定部材１２（第１ケーシング１１）に対して一方向前方と一方向後方とに進退移動する。
【００５５】
図６は、清掃シャフト１４の分解斜視図であり、図７は、テープ支持軸６４の上面図である。図８は、テープ支持軸６４の底面図であり、図９は、図７の９−９線矢視断面図である。図１０は、露出軸７９の正面図であり、図１１は、露出軸７９の先端部８６の斜視図である。図６〜図９では、一方向（軸方向）を矢印Ａで示し、径方向を矢印Ｃで示す。図１０では、径方向を矢印Ｃで示す。
【００５６】
清掃シャフト１４は、第２ケーシング１３の前壁５３に着脱可能に固定された円筒状の固定パイプ６１と、固定パイプ６１の内部に回転可能かつ一方向へ進退移動可能に挿通された円筒状のガイドパイプ６２と、ガイドパイプ６２の先端部６３に回転可能かつ一方向へ移動可能に連接されたテープ支持軸６４とから形成されている。
【００５７】
固定パイプ６１は、プラスチックから作られ、一方向へ長い第１固定パイプ６１Ａと、一方向へ長い第２固定パイプ６１Ｂとから形成されている。第１固定パイプ６１Ａの先端部６５には、径方向内方へ張り出すフランジ６６（図１参照）が作られている。第２固定パイプ６１Ｂは、その径がパイプ６１Ａのそれよりも小さく、パイプ６１Ａの内部に回転可能かつ一方向へ進退移動可能に挿通される。第２固定パイプ６１Ｂは、その先端部６７に位置してテープ支持軸６４を挿通支持する第１支持パイプ６８と、第１支持パイプ６８から一方向後方へ延びる第２支持パイプ６９とを有する。第１支持パイプ６８は、その径が第２支持パイプ６９のそれよりも小さい。第２支持パイプ６９の中間部には、その径方向外方へ張り出す第１フランジ７０が作られ、第２支持パイプ６９の後端部には、その径方向外方へ張り出す第２フランジ７１が作られている。
【００５８】
ガイドパイプ６２は、プラスチックから作られ、その先端部７２に位置してテープ支持軸６４を支持する一方向へ長い第１パイプ７３と、第１パイプ７３から一方向後方へ延びる一方向へ長い第２パイプ７４とを有する。第１パイプ７３は、その径が第２パイプ７４のそれよりも小さい。第２パイプ７４の後端部には、その径方向外方へ張り出すフランジ７５と、フランジ７５から一方向後方へ延びる連結軸７６（基端部）とが作られている。連結軸７６は、後記する回転機構の歯車９９（第２歯車）に着脱可能に連結される。
【００５９】
第２パイプ７４には、コイルスプリング７７（第２付勢手段）が嵌め込まれている。コイルスプリング７７は、その後端がフランジ７５に当接している。ガイドパイプ６２（第１パイプ７３および第２パイプ７４）の内部には、清掃テープＴが連結軸７６（基端部）から先端部７２に向かって移動するテープ往路（空間）（図示せず）と、テープＴが先端部７２から連結軸７６（基端部）に向かって移動するテープ復路（空間）（図示せず）とが形成されている。
【００６０】
テープ支持軸６４は、プラスチックから作られ、清掃シャフト１４の先端部を構成する。テープ支持軸６４は、ガイドパイプ６２の第１パイプ７３に挿脱可能に挿入される一方向へ長い挿入軸７８と、挿入軸７８から一方向前方へ延びる一方向へ長い露出軸７９とを有する。挿入軸７８と露出軸７９との間には、径方向外方へ張り出すフランジ８０が作られている。挿入軸７８には、コイルスプリング８１（第３付勢手段）が嵌め込まれている。コイルスプリング８１は、その先端がフランジ８０に当接している。
【００６１】
挿入軸７８の後端部には、一方向へ延びるスリット８２（切り欠き）と、径方向外方へ凸となる係止凸部８３とが作られている。挿入軸７８の外周面の下方には、図８に示すように、一方向へ平坦に延びるテープ往路８４が作られ、露出軸７９の外周面の下方には、一方向へ平坦に延びるテープ往路８４が作られている。テープ往路８４は、ガイドパイプ６２のテープ往路に一連につながっている。テープ往路８４ではフランジ８０が切除され、挿入軸７８のテープ往路８４と露出軸７９のテープ往路８４とが一連につながっている。
【００６２】
挿入軸７８の外周面の上方には、図７に示すように、一方向へ平坦に延びるテープ復路８５が作られ、露出軸７９の外周面の下方には、一方向へ平坦に延びるテープ復路８５が作られている。テープ復路８５は、ガイドパイプ６２のテープ復路に一連につながっている。テープ復路８５ではフランジ８０が切除され、挿入軸７８のテープ復路８５と露出軸７９のテープ復路８５とが一連につながっている。
【００６３】
露出軸７９の先端部８６は、一方向前方へ向かって先細りに成形されている。露出軸７９の先端部８６（テープ支持軸６４の先端部）には、図９に示しように、テープ往路８４につながるテープ通流孔８７が作られている。露出軸７９の先端部８６には、図１０に示すように、テープ通流孔８７につながって一方向へ開口する先端開口８８と、先端開口８８からテープ支持軸６４（清掃シャフト１４）の径方向へ延びる先端摺動面８９と、清掃テープＴを先端摺動面８９からテープ復路８５に戻す先端ガイド面９０とが形成されている。露出軸７９の先端部８６のテープ復路８５の径方向両側には、一方向へ延びるガイド壁９１が形成されている。
【００６４】
先端開口８８は、露出軸７９の先端部８６の中心よりも下方に位置し、径方向へ長く延びている。先端開口８８は、テープ往路８５を移動した清掃テープＴを露出軸７９（テープ支持軸６４）の外側へ露出させる。先端摺動面８９では、先端開口８８から露出軸７９の外側へ露出した清掃テープＴが摺動（先端開口８８から上方へ移動）する。テープ支持軸６４では、図９に示すように、清掃テープＴが挿入軸７８のテープ往路８４から露出軸７９のテープ往路８４を通って一方向前方へ進み、テープＴが通流孔８７に進入した後、先端開口８８から露出軸７９の外側へ露出するとともに、先端摺動面８９を通って露出軸７９のテープ復路８５から挿入軸７８のテープ復路８５に進む。
【００６５】
清掃シャフト１４では、第１固定パイプ６１Ａの内部に第２固定パイプ６１Ｂが挿入される。第１固定パイプ６１Ａに第２固定パイプ６１Ｂを挿入すると、第１固定パイプ６１Ａのフランジ６６に第２固定パイプ６１Ｂのフランジ７０が当接し、第１固定パイプ６１Ａの内部における第２固定パイプ６１Ｂの一方向前方へのそれ以上の移動が阻止される。テープ支持軸６４の挿入軸７８にコイルスプリング８１を嵌め込んだ後、ガイドパイプ６２の第１パイプ７３の内部にテープ支持軸６４の挿入軸７８が挿入される。
【００６６】
第１パイプ７３の内部に挿入軸７８を挿入すると、挿入軸７８の後端部の係止凸部８３が第１パイプ７３の内周面に当接し、それによって挿入軸７８の後端部のスリット８２が径方向内方へ縮まり、挿入軸７８の後端部が弾性変形してその後端部が第１パイプ７３の内部に進入する。挿入軸７８の後端部が第１パイプ７３の内部に進入すると、テープ支持軸６４のフランジ８０にコイルスプリング８１の先端が当接するとともに、第１パイプ７３の先端にコイルスプリング８１の後端が当接する。なお、スリット８２が形成された後端部の弾性力によって係止凸部８３が第１パイプ７３の内周面に押し当てられ、挿入軸７８の後端部が第１パイプ７３の内部に固定され、テープ支持軸６４の第１パイプ７３からの不用意な脱落が防止される。
【００６７】
次に、テープ支持軸６４を固定したガイドパイプ６２（第１パイプ７３および第２パイプ７４）が第２固定パイプ６１Ｂの内部に挿入される。ガイドパイプ６２を第２固定パイプ６１Ｂに挿入すると、テープ支持軸６４のフランジ８０が第２固定パイプ６１Ｂの第１支持パイプ６８の後端に当接し、第２固定パイプ６１Ｂの内部におけるテープ支持軸６４の一方向前方へのそれ以上の移動が阻止される。さらに、第２固定パイプ６１Ｂのフランジ７１にコイルスプリング７７の先端が当接するとともに、第２パイプ７４のフランジ７５にコイルスプリング７７の後端が当接する。
【００６８】
なお、第１固定パイプ６１Ａの後端部と第２ケーシング１３の前壁５３の円形筒状の貫通孔５８とには、第２ケーシング１３の前壁５３に固定パイプ６１Ａを着脱可能に固定する固定手段が形成されている。第１固定パイプ６１Ａを第２ケーシング１３の前壁５３に固定すると、ガイドパイプ６２の連結軸７６が貫通孔５８を通って第２ケーシング１３の前壁５３の側の収容スペース５５に位置する。
【００６９】
図１２は、光ファイバコネクタ清掃用クリーナ１０の側面図であり、図１３は、光ファイバコネクタ清掃用クリーナ１０の上面図である。図１４は、光ファイバコネクタ清掃用クリーナ１０の底面図である。図１５〜図１７は、回転軸１０６に形成された案内溝１０９の一例を示す図であり、図１８は、一例として示す移動駒１０７の正面図である。図１２〜図１４では、一方向前方を矢印Ａ１で示し、一方向後方を矢印Ａ２で示す。図１２〜図１４では、第１ケーシング１１に固定部材１２や第２ケーシング１３を組み入れ、清掃シャフト１４を取り付けた状態で示す。第１ケーシング１１に固定部材１２や第２ケーシング１３を組み入れると、係入する第２ケーシング１３の案内バー１１６が固定部材１２の案内スリット４２に係入する。第２ケーシング１３を一方向前方と一方向後方とへ移動させると、案内バー１１６が案内スリット４２においてする。
【００７０】
図１２では、第１ケーシング１１の側壁１７を破断し、固定部材１２のうちの第１当接板２９を省略するとともにラックギア４４や係止板４３を図示し、固定パイプ６１を切断した状態で示す。図１３では、第１および第２ケーシング１１，１３の頂壁１５，４９および固定部材１２のうちの第１当接板２９を省き、固定パイプ６１を切断した状態で示す。図１４では、第１および第２ケーシング１１，１３の底壁１６，５０を省き、固定パイプ６１を切断した状態で示す。
【００７１】
図１２〜図１４では、コイルスプリング９２の付勢力により、第１ケーシング１１に対して第２ケーシング１３が一方向後方へ移動し、コイルスプリング７７の付勢力により、第１固定パイプ６１Ａに対して第２固定パイプ６１Ｂが一方向前方へ移動しているとともに、コイルスプリング８１の付勢力により、ガイドパイプ６２に対してテープ支持軸６４が一方向前方へ移動している。
【００７２】
光ファイバコネクタ清掃用クリーナ１０は、第２ケーシング１３を第１ケーシング１１の内部において一方向前方と一方向後方とへ進退移動させる進退機構、清掃テープＴを後記する供給リール９３から清掃シャフト１４に向かって送り出すとともに、シャフト１４から戻ったテープＴを後記する引取リール９４に引き取らせる引取機構、清掃シャフトをその軸回りに正逆両方向（時計回り方向と反時計回り方向）へ回転させる回転機構、引取リール９４を清掃テープＴの引取方向のみへ回転させるラチェット機構、清掃テープＴを引取リール９４の外周面の一方から他方に向かって移動させるとともに、テープＴをリール９４の外周面の他方から一方に向かって移動させる案内機構を備えている。
【００７３】
進退機構は、固定部材１２と、コイルスプリング９２（第１付勢手段）とから形成されている。コイルスプリング９２は、その基端部が固定部材１２の収容凹部４１に収容され、その先端部が第２ケーシング１３のスプリング支持凸部５９に支持されている。コイルスプリング９２の付勢力（弾力）によって、第２ケーシング１３が第１ケーシング１１（固定部材１２）に対して一方向後方へ付勢され、第１ケーシング１１（固定部材１２）が第２ケーシング１３に対して一方向前方へ付勢されている。なお、固定部材１２の係止板４３の後端が第２ケーシング１３の段差部６０に当接し、第２ケーシング１３の一方向後方への移動が阻止される。
【００７４】
引取機構は、第２ケーシング１３の収容スペース５５（内部）に設置された供給リール９３および引取リール９４と、固定部材１２に設置されたラックギア４４（第２ラックギア）と、引取リール９４を回転させる歯車９５（第３歯車）とから形成されている。供給リール９３や引取リール９４、歯車９５は、プラスチックから作られている。
【００７５】
供給リール９３は、後壁５４の側のスペース５５に配置され、軸９６に回転可能に支持（挿通）されている。供給リール９３には、清掃テープＴが巻き取られている。引取リール９４は、スペース５５の略中央に配置され、軸９７に回転可能に支持（挿通）されている。引取リール９４は、供給リール９３から送り出された清掃テープＴを引き取る。歯車９５は、引取リール９４と第２ケーシング１３の側壁５２との間に配置され、軸９７に回転可能に支持（挿通）されている。
【００７６】
回転機構は、固定部材１２に設置されたラックギア４５（第１ラックギア）と、第２ケーシング１３の収容スペース５５（内部）に設置された歯車９８（第１歯車）と、第２パイプ７４の連結軸７６（清掃シャフト１４の基端部）に連結された歯車９９（第２歯車）とから形成されている。歯車９８と歯車９９とは、プラスチックから作られている。歯車９８は、前壁５３の側のスペース５５に配置され、軸１００に回転可能に支持（挿通）されている。歯車９８は、ラックギア４５に嵌合する第１の歯１０１と、歯車９９に嵌合する第２の歯１０２とを有する。
【００７７】
ラチェット機構は、歯車９５（第３歯車）と、歯車９５に嵌合する歯止めギア１０３とから形成されている。歯止めギア１０３は、プラスチックから作られている。歯止めギア１０３は、引取リール９４と歯車９５との間に配置されている。歯止めギア１０３は、引取リール９４と一体成型され、リール９４とともに軸９７に回転可能に支持（挿通）されている。ラチェット機構は、ラックギア４４が一方向前方へ移動したときの歯車９５の回転を阻止し、清掃テープＴの送出方向への引取リール９４の回転を阻止する。
【００７８】
案内機構は、第２ケーシングの収容スペース５５（内部）に設置された歯車１０４（第４歯車）と、第２ケーシングの収容スペース５５（内部）に設置された３つの歯車１０５ａ〜１０５ｃ（第５歯車）と、歯車１０５ｃから延びる回転軸１０６と、回転軸１０６に挿通された移動駒１０７とから形成されている。歯車１０４や歯車１０５ａ〜１０５ｃ、回転軸１０６、移動駒１０７は、プラスチックから作られている。歯車１０４は、引取リール９４と第２ケーシングの側壁５１との間に配置されている。歯車１０４は、引取リール９４と一体成型され、リール９４とともに軸９７に回転可能に支持（挿通）されている。歯車１０４は、歯車９５に連動して回転する。回転軸１０６とは、軸１０８に回転可能に支持（挿通）されている。
【００７９】
歯車１０５ａは、歯車１０４の直前に配置され、軸（図示せず）に回転可能に支持（挿通）されている。歯車１０５ａは、歯車１０４に嵌合している。歯車１０５ｂは、引取リール９４と歯車１０５ａとの間に配置されている。歯車１０５ｂは、歯車１０５ａと一体成型され、軸（図示せず）に回転可能に支持（挿通）されている。歯車１０５ｃは、歯車１０５ｂの直前に配置されている。歯車１０５ｃは、回転軸１０６と一体成型され、回転軸１０６とともに軸１０７に回転可能に支持（挿通）されている。歯車１０５ｃは、歯車１０５ｂに嵌合している。それら歯車１０５ａ〜１０５ｃは、引取リール９４の回転速度よりも回転軸１０６のそれを遅くする減速歯車列を形成している。
【００８０】
回転軸１０６の周面には、図１５〜図１７に示しように、周面の回り方向へ曲折して延びる案内溝１０９が形成されている。移動駒１０７は、略四角柱状の６面体である。移動駒１０７は、図１８に示すように、回転軸１０６を挿通する挿通孔１１０と、清掃テープを挿通するテープ挿通孔１１１と、移動駒１０７の移動を規制する案内凹部１１２（規制溝）とを有する。挿通孔１１０には、回転軸１０６の案内溝１０９に係入する案内凸部１１３が形成されている。案内凹部１１２は、第２ケーシング１３の頂壁４９に作られた横方向へ延びる案内レール１１４に係入している。
【００８１】
図１９は、光ファイバコネクタ１１５の接合端面を清掃する手順の一例を説明する図であり、図２０は、図１９から続く手順を説明する図である。図２１は、光ファイバコネクタ清掃用クリーナ１０の側面図であり、図２２は、光ファイバコネクタ清掃用クリーナ１０の上面図である。図２３は、光ファイバコネクタ清掃用クリーナ１０の底面図である。図２１〜図２３では、一方向前方を矢印Ａ１で示し、一方向後方を矢印Ａ２で示す。
【００８２】
図２１では、第１ケーシング１１の側壁１７を破断し、固定部材１２のうちの第１当接板２９を省略するとともにラックギア４４を図示し、固定パイプ６１を切断した状態で示す。図２２では、第１および第２ケーシング１１，１３の頂壁１５，４９および固定部材１２のうちの第１当接板２９を省き、固定パイプ６１を切断した状態で示す。図２３では、第１および第２ケーシング１１，１３の底壁１６，５０を省き、固定パイプ６１を切断した状態で示す。
【００８３】
図２１〜図２３では、コイルスプリング９２の付勢力に抗し、第１ケーシング１１に対して第２ケーシング１３が一方向前方へ移動し、コイルスプリング７７の付勢力に抗し、第１固定パイプ６１Ａに対して第２固定パイプ６１Ｂが一方向後方へ移動しているとともに、コイルスプリング８１の付勢力に抗し、ガイドパイプ６２に対してテープ支持軸６４が一方向後方へ移動している。
【００８４】
光ファイバコネクタ１１５の切り離しが行われ、光ファイバコネクタ清掃用クリーナ１０を利用して光ファイバコネクタ１１５の接合端面（フェルール端面）（図示せず）の清掃を行う場合、清掃シャフト１４の先端部（テープ支持軸６４）からキャップ２７を取り外してテープ支持軸６４を露出させ、図１９，２０に示すように、清掃シャフト１４の先端部（テープ支持軸６４）を光ファイバコネクタ１１５に挿入する。清掃シャフト１４の先端部（テープ支持軸６４）を光ファイバコネクタ１１５に挿入すると、図示はしていないが、テープ支持軸６４の露出軸７９の先端部８６が光ファイバコネクタ１１５の接合端面に当接する。
【００８５】
清掃シャフト１４の先端部（テープ支持軸６４）を光ファイバコネクタ１１５に挿入した状態（露出軸７９の先端部８６が光ファイバコネクタ１１５の接合端面に当接した状態）で、清掃用クリーナ１０を光ファイバコネクタ１１５に向かって一方向前方へ押圧する。光ファイバコネクタ清掃用クリーナ１０を一方向前方へ押圧すると、テープ支持軸６４を一方向後方へ押圧する押圧力が支持軸６４に作用し、支持軸６４がコイルスプリング８１の付勢力に抗して一方向後方へ移動し、第２固定パイプ６１Ｂを一方向後方へ押圧する押圧力がパイプ６１Ｂに作用し、パイプ６１Ｂがコイルスプリング７７の付勢力に抗して一方向後方へ移動する。さらに、第２ケーシング１３を一方向後方へ押圧する押圧力がケーシング１３に作用し、ケーシング１３がコイルスプリング９２の付勢力により一方向後方へ移動する（進退機構）。
【００８６】
光ファイバコネクタ清掃用クリーナ１０では、第２ケーシング１３が第１ケーシング１１（固定部材１２）に対して一方向後方へ後退すると、固定部材１２に設置されたラックギア４４（第２ラックギア）が一方向前方へ移動し、ラックギア４４に嵌合する歯車９５（第３歯車）が図２１に矢印Ｘ１と反対方向へ回転する。歯車９５が引取方向へ回転すると、それによって引取リール９４が引取方向へ回転するとともに歯車１０４（第４歯車）が引取方向へ回転する。
【００８７】
引取リール９４の引取方向への回転によって、リール９４の周面に清掃テープＴが巻き取られ、それによってテープＴが供給リール９３から送り出される（引取機構）。歯車１０４が引取方向へ回転すると、歯車１０４に嵌合する歯車１０５ａ（第５歯車）が回転し、歯車１０５ａに嵌合する歯車１０５ｂ（第５歯車）が回転するとともに、歯車１０５ｂに嵌合する歯車１０５ｃ（第５歯車）が回転する。
【００８８】
光ファイバコネクタ清掃用クリーナ１０は、ラックギア４４とそれに嵌合する歯車９５とを利用することで、進退機構と引取機構とが連動し、第２ケーシング１３を第１ケーシング１１の内部において一方向前方と一方向後方とへ進退移動させるだけの操作で、テープ支持軸６４の露出軸７９の先端部８６に向かって清掃テープＴを確実に送り出すことができる。
【００８９】
歯車１０５ｃが回転すると、それによって回転軸１０６が図２１に矢印Ｘ２で示す方向へ回転する。回転軸１０６が回転すると、回転軸１０６の周面の案内溝１０９に係入する移動駒１０７の案内凸部１１３が案内溝１０９を移動し、それによって移動駒１０７が案内レール１１４に沿って図２２，２３に矢印Ｘ３で示す方向へ往復移動し、移動駒１０７のテープ挿通孔１１１に挿通された清掃テープＴが引取リール９４の周面を矢印Ｘ３で示す方向へ往復移動しつつ、リール９４の周面に引き取られる（案内機構）。
【００９０】
光ファイバコネクタ清掃用クリーナ１０は、移動駒１０７の案内凹部１１２が第２ケーシング１３の案内レール１１４に係入することによって、案内凸部１１３と案内溝１０９との係合が解除されることはなく、回転軸１０６の回転によって、案内溝１０９に係合する案内凸部１１３を有する移動駒１０７が回転軸１０６の一方と他方との間（両側縁部の間）を確実に往復動する。
【００９１】
引取リール９４における清掃テープＴの引き取り時に、テープＴがリール９４の外周面の一箇所に巻き取られると、その箇所にテープＴが偏り、その箇所のみにおいてテープＴの嵩が増え、リール９４におけるテープＴの引き取りが早期に飽和状態になり、多くのテープＴを引き取ることができず、光ファイバコネクタ清掃用クリーナ１０に多くのテープＴを仕込むことができない。しかし、この光ファイバコネクタ清掃用クリーナ１０は、案内機構によってテープＴがリール９４の外周面を矢印Ｘ３方向へ移動しつつリール９４に引き取られるから、テープＴがリール９４に偏った状態で引き取られることはなく、テープＴがリール９４の全域に満遍なく引き取られ、光ファイバコネクタ清掃用クリーナ１０に多くのテープＴを仕込むことができ、光ファイバコネクタ清掃用クリーナ１０を長期間継続して使用することができる。
【００９２】
光ファイバコネクタ清掃用クリーナ１０は、歯車１０５ａ〜１０５ｃが減速歯車列から形成し、歯車１０４の回転速度よりも回転軸１０６のそれが減速され、回転軸１０６の回転速度を減速した状態で清掃テープＴが引取リール９４に引き取られるから、案内機構によってテープＴがリール９４の外周面の一方と他方との間を移動したとしても、テープＴが絡まることはなく、テープＴが絡まることによるテープＴの送り出し不能を防ぐことができる。
【００９３】
第２ケーシング１３が第１ケーシング１１（固定部材１２）に対して一方向後方へ後退すると、固定部材１２に設置されたラックギア４５（第１ラックギア）が一方向前方へ移動し、第１の歯１０１を介してラックギア４５に嵌合する歯車９８（第１歯車）が図２１に矢印Ｘ４で示す方向へ回転する。歯車９８が矢印Ｘ４で示す方向へ回転すると、それによって歯車９８の第２の歯１０２に嵌合する歯車９９（第２歯車）が図２１に矢印Ｘ５で示す方向へ回転する。歯車９９が矢印Ｘ５で示す方向へ回転すると、それによって歯車９９に連結されたガイドパイプ６２が矢印Ｘ５の方向へ回転しつつ、パイプ６２に挿入されたテープ支持軸６４が図１０，２１に矢印Ｘ６で示す方向へ回転する（回転機構）。なお、回転機構では、テープ支持軸６４（ガイドパイプ６２）の回転始点から回転終点までの支持軸６４の回転角度が１８０°になるように歯車９８と歯車９９とのギア比が設定されている。
【００９４】
清掃テープＴの引取リール９４への引き取りによってテープＴが供給リール９３から送り出されると、テープＴがリール９３から第２ケーシング１３の収容スペース５５を通り、スペース５５からガイドパイプ６２（第１パイプ７３および第２パイプ７４）のテープ往路に進入し、テープ往路を通ってテープ支持軸６４（挿入軸７８および露出軸７９）のテープ往路８４に進入する。清掃テープＴは、テープ支持軸６４のテープ往路８４を図９に矢印Ｘ７で示す一方向前方へ進み、支持軸６４の先端部（露出軸７９の先端部８６）に向かって進む。
【００９５】
清掃テープＴは、テープ往路８４からテープ通流孔８７に進入し、通流孔８７を通って露出軸７９の先端開口８８から支持軸６４の先端部（露出軸７９の先端部８６）に露出する。先端開口８８から露出した清掃テープＴは、開口８８から露出軸７９の先端部８６の先端摺動面８９に進む。先端摺動面８９が光ファイバコネクタの接合端面に当接しており、先端摺動面８９を摺動（移動）する清掃テープＴによって接合端面に付着した塵埃や油分等の汚れが拭き取られる。なお、清掃テープＴの移動に同期してテープ支持軸６４（挿入軸７８および露出軸７９）が図１０，２１の矢印Ｘ６の方向へ回転するから、テープＴの移動動作に回転動作が加わり、テープＴによって接合端面の汚れが確実に拭き取られる。
【００９６】
先端摺動面８９を摺動（移動）した清掃テープＴは、先端摺動面８９から露出軸７９の先端ガイド面９０に進入した後、テープ支持軸６４のテープ復路８５を図９に矢印Ｘ８で示す一方向後方へ進み、ガイドパイプ６２（第１パイプ７３および第２パイプ７４）のテープ復路に進入する。清掃テープＴは、ガイドパイプ６２のテープ復路から第２ケーシング１３の収容スペース５５を通り、さらに、移動駒１０７のテープ挿通孔１１１を通って矢印Ｘ３で示す方向へ往復移動しつつ、引取リール９４の周面に引き取られる。
【００９７】
次に、光ファイバコネクタ清掃用クリーナ１０を光ファイバコネクタ１１５に向かって一方向前方へ押圧した状態から押圧力を解除すると、テープ支持軸６４にコイルスプリング８１の付勢力が作用し、プリング８１の付勢力よって支持軸６４が一方向前方へ移動し、第２固定パイプ６１Ｂにコイルスプリング７７の付勢力が作用し、スプリング７７の付勢力によってパイプ６１Ｂが一方向前方へ移動する。さらに、第２ケーシング１３にコイルスプリング９２の付勢力が作用し、スプリング９２の付勢力によってケーシング１３が一方向前方へ移動する（進退機構）。
【００９８】
第２ケーシング１３が第１ケーシング１１（固定部材１２）に対して一方向前方へ前進すると、固定部材１２に設置されたラックギア４４（第２ラックギア）が一方向後方へ移動し、ラックギア４４に嵌合する歯車９５（第３歯車）を回転させる力が歯車９５に作用する。しかし、ラチェット機構を形成する歯止めギア１０３によって歯車９５のテープ送出方向（図２１に矢印Ｘ１で示す引取方向とは逆方向）への回転が阻止され、引取リール９４からの清掃テープＴの送り出し（逆戻り）が防止される。
【００９９】
光ファイバコネクタ清掃用クリーナ１０は、第１ケーシング１１の内部において第２ケーシング１３が一方向前方へ前進し、それによってラックギア４４が一方向前方へ移動したとしても、ラチェット機構の歯止めギア１０３によって歯車９５の回転が阻止されるから、引取リール９４に引き取られた清掃テープＴのリール９４からの送り出し（逆戻り）を防止することができる。
【０１００】
第２ケーシング１３が第１ケーシング１１（固定部材１２）に対して一方向前方へ前進すると、固定部材１２に設置されたラックギア４５（第１ラックギア）が一方向後方へ移動し、第１の歯１０１を介してラックギア４５に嵌合する歯車９８（第１歯車）が図１２に矢印Ｘ９で示す方向へ回転する。歯車９８が矢印Ｘ９で示す方向へ回転すると、それによって歯車９８の第２の歯１０２に嵌合する歯車９９（第２歯車）が図１２に矢印Ｘ１０で示す方向へ回転する。歯車９９が矢印Ｘ１０で示す方向へ回転すると、それによって歯車９９に連結されたガイドパイプ６２が矢印Ｘ１０の方向へ回転しつつ、パイプ６２に挿入されたテープ支持軸６４が図１０，１２に矢印Ｘ１１で示す方向へ回転する（回転機構）。テープ支持軸６４（ガイドパイプ６２）は、光ファイバコネクタ清掃用クリーナ１０を光ファイバコネクタ１１５に向かって一方向前方へ押圧した場合とは逆に１８０°回転し、回転終点から回転始点に戻る。
【０１０１】
光ファイバコネクタ清掃用クリーナ１０は、第２ケーシング１３の一方向後方と一方向前方とへの移動に伴ってラックギア４５が一方向後方と一方向前方とへ移動するとともに、第１の歯１０１を介してラックギア４５に嵌合する歯車９８が回転し、歯車９８の回転によって第２の歯１０２に嵌合する歯車９９が回転しつつ歯車９９に連結されたテープ支持軸６４（ガイドパイプ６２）が正逆両方向へ回転するから、進退機構によって第２ケーシング１３を第１ケーシング１１の内部において一方向前方と一方向後方とへ進退移動させることにより、テープ支持軸６４（ガイドパイプ６２）その軸回りの正逆両方向へ確実に回転させることができる。
【０１０２】
押圧力を解除した後、光ファイバコネクタ清掃用クリーナ１０を光ファイバコネクタ１１５に向かって一方向前方へ再び押圧すると、第２ケーシング１３がコイルスプリング９２の付勢力に抗して一方向後方へ移動し（進退機構）、ラックギア４４に嵌合する歯車９５（第３歯車）が引取方向（矢印Ｘ１方向）へ回転するとともに、引取リール９４が引取方向へ回転し、引取リール９４の周面に清掃テープＴが巻き取られ、それによってテープＴが供給リール９３から再び送り出される（引取機構）。
【０１０３】
また、歯車１０４（第４歯車）が引取方向へ回転し、歯車１０４に嵌合する歯車１０５ａ（第５歯車）が回転し、歯車１０５ａに嵌合する歯車１０５ｂ（第５歯車）が回転するとともに、歯車１０５ｂに嵌合する歯車１０５ｃ（第５歯車）が回転する。歯車１０５ｃが回転することによって回転軸１０６が矢印Ｘ２方向へ回転し、移動駒１０７が矢印Ｘ３方向へ往復移動するとともに、清掃テープＴが引取リール９４の周面を矢印Ｘ３方向へ往復移動しつつ、リール９４の周面に引き取られる（案内機構）。
【０１０４】
第１の歯１０１を介してラックギア４５に嵌合する歯車９８（第１歯車）が矢印Ｘ４方向へ回転し、歯車９８の第２の歯１０２に嵌合する歯車９９（第２歯車）が矢印Ｘ５方向へ回転するとともに、ガイドパイプ６２が矢印Ｘ５方向へ回転しつつ、テープ支持軸６４が矢印Ｘ６方向へ回転する（回転機構）。清掃テープＴの引取リール９４への引き取りによってテープＴが供給リール９３から送り出されると、テープ支持軸６４が矢印Ｘ６方向へ回転しつつ、露出軸７９の先端開口８８から露出した清掃テープＴが先端摺動面８９を摺動（移動）し、テープＴによって接合端面に付着した塵埃や油分等の汚れが拭き取られる。清掃テープＴは、テープ支持軸６４のテープ復路８５を一方向後方（矢印Ｘ８方向）へ進み、ガイドパイプ６２のテープ復路を通るとともに第２ケーシング１３の収容スペース５５を通り、移動駒１０７のテープ挿通孔１１１を通って矢印Ｘ３方向へ往復移動しつつ、引取リール９４の周面に引き取られる。
【０１０５】
光ファイバコネクタ清掃用クリーナ１０を光ファイバコネクタ１１５に向かって一方向前方へ押圧した状態から押圧力を再び解除すると、コイルスプリング９２の付勢力によってケーシング１３が一方向前方へ移動し（進退機構）、ラックギア４４（第２ラックギア）が一方向後方へ移動するが、ラチェット機構の歯止めギア１０３によって歯車９５のテープ送出方向への回転が阻止される。
【０１０６】
第２ケーシング１３が一方向前方へ前進すると、ラックギア４５（第１ラックギア）が一方向後方へ移動し、第１の歯１０１を介してラックギア４５に嵌合する歯車９８（第１歯車）が矢印Ｘ９方向へ回転し、歯車９８の第２の歯１０２に嵌合する歯車９９（第２歯車）が矢印Ｘ１０方向へ回転するとともに、ガイドパイプ６２が矢印Ｘ１０方向へ回転しつつ、テープ支持軸６４が矢印Ｘ１１方向へ回転する（回転機構）。
【０１０７】
光ファイバコネクタ清掃用クリーナ１０は、清掃シャフト１４の先端部（テープ支持軸６４）を光ファイバコネクタ１１５に挿入した状態で、光ファイバコネクタ清掃用クリーナ１０を光ファイバコネクタ１１５に向かって一方向前方へ押圧する押圧操作を行うことで、進退機構や引取機構、回転機構、案内機構が作動し、押圧力を解除する解除操作を行うことで、進退機構や回転機構、ラチェット機構が作動する。光ファイバコネクタ清掃用クリーナ１０は、押圧操作および解除操作を繰り返すことで、清掃テープＴが供給リール９３から間欠的に送り出され、先端摺動面８９を移動する清掃テープＴおよびテープTの移動と同期するテープ支持軸６４の回転により、コネクタ１１５の接合端面を清掃する。光ファイバコネクタ１１５の接合端−面を清掃が終了した場合、清掃シャフト１４の先端部を光ファイバコネクタ１１５から引き出し、清掃シャフト１４の先端部（テープ支持軸６４の露出軸７９の先端部８６）にキャップ２７を装着する。
【０１０８】
光ファイバコネクタ清掃用クリーナ１０は、清掃シャフト１４の先端部を光ファイバコネクタ１１５に挿入し、第２ケーシング１３を一方向後方へ移動させると、清掃テープＴの送り出しに同期して清掃シャフト１４（ガイドパイプ６２およびテープ支持軸６４）がその軸回りに回転するから、テープＴの送り出し動作とシャフト１４の回転動作とを同時に行うことができ、テープＴを移動させつつ回転させながら光ファイバコネクタ１１５の接合端面に接触させることができる。
【０１０９】
光ファイバコネクタ清掃用クリーナ１０は、光ファイバコネクタ１１５の接合端面の清掃を容易に行うことができるのみならず、シャフト１４が正逆両方向へ回転することで、清掃テープＴの送り出し動作とシャフト１４の回転動作とが連動し、テープＴの送り出しとテープＴの回転とが同時に行われるから、テープＴの送り出しとテープＴの回転とによってコネクタ１１５の接合端面の清掃を正確に行うことができ、接合端面の汚れを確実に拭き取ることができる。
【０１１０】
光ファイバコネクタ清掃用クリーナ１０は、清掃テープＴが極細繊維から作られた細長い布であるから、極細繊維の集合体であるテープＴを使用することで、光ファイバコネクタ１１５の接合端面に付着した汚れを極細繊維に捕集させることができ、光ファイバコネクタ１１５の接合端面の汚れを確実に拭き取ることができる。
【０１１１】
光ファイバコネクタ清掃用クリーナ１０は、清掃シャフト１４の先端部を光ファイバコネクタ１１５に挿入し、コイルスプリング９２の付勢力に抗して第２ケーシング１３を一方向後方へ後退させたときに、テープ支持軸６４が所定の押圧力で光ファイバコネクタ１１５の接合端面に当接するが、必要以上の押圧力が光ファイバコネクタ１１５の接合端面に作用すると、コイルスプリング７７の付勢力に抗してガイドパイプ６２（第２パイプ７４）が一方向後方へ後退するとともに、コイルスプリング８１の付勢力に抗してテープ支持軸６４が一方向後方へ後退するから、接合端面に作用する押圧力を低下させることができ、適度な押圧力でテープ支持軸６４を接合端面に押し当てることができる。光ファイバコネクタ清掃用クリーナ１０は、光ファイバコネクタ１１５の接合端面に必要以上の押圧力が作用することはないから、コネクタ１１５の接合端面を損傷させることなく、接合端面の汚れを拭き取ることができる。
【０１１２】
光ファイバコネクタ清掃用クリーナ１０は、テープ支持軸６４のテープ往路８４を進んだ清掃テープＴが支持軸６４の先端開口８８から支持軸６４の外側に露出した後、テープＴが支持軸６４の先端摺動面８９を摺動するとともに、先端ガイド面９０を通ってテープ復路８５に戻るから、テープＴのテープ支持軸６４の先端部８６からの脱落を防ぐことができ、テープＴの送り出しとテープＴの回転とを行いつつ光ファイバコネクタ１１５の接合端面を確実に清掃することができる。
【符号の説明】
【０１１３】
１０    光ファイバコネクタ清掃用クリーナ
１１    第１ケーシング
１２    固定部材
１３    第２ケーシング
１４    清掃シャフト
１５    頂壁
１６    底壁
１７    側壁
１８    側壁
１９    前壁
２０    後壁
２２    ガイド部
２３    摺動スリット
２４    第１係合スリット
２５    第２係合スリット
２９    第１当接板
３０    第２当接板
３９    スプリング支持座
４１    収容凹部
４２    案内スリット
４３    係止板
４４    ラックギア（第２ラックギア）
４５    ラックギア（第１ラックギア）
４６    ストッパー部
４７    弾性部分
４８    係合部分
４９    頂壁
５０    底壁
５１    側壁
５２    側壁
５３    前壁
５４    後壁
５６    第１開口部
５７    第２開口部
５８    貫通孔
５９    スプリング支持凸部
６０    段差部
６１    固定パイプ
６２    ガイドパイプ
６４    テープ支持軸
６８    第１支持パイプ
６９    第２支持パイプ
７３    第１パイプ
７４    第２パイプ
７６    連結軸
７７    コイルスプリング（第２付勢手段）
７８    挿入軸
７９    露出軸
８１    コイルスプリング（第３付勢手段）
８４    テープ往路
８５    テープ復路
８７    テープ通流孔
８８    先端開口
８９    先端摺動面
９０    先端ガイド面
９１    ガイド壁
９２    コイルスプリング（第１付勢手段）
９３    供給リール
９４    引取リール
９５    歯車（第３歯車）
９８    歯車（第１歯車）
９９    歯車（第２歯車）
１０１  第１の歯
１０２  第２の歯
１０３  歯止めギア
１０４  歯車（第４歯車）
１０５  歯車（第５歯車）
１０６  回転軸
１０７  移動駒
１０９  案内溝
１１１  テープ挿通孔
１１２  案内凹部
１１３  案内凸部
１１４  案内レール
１１５  光ファイバコネクタ
Ｔ    清掃テープ
【要約】      （修正有）【課題】清掃シャフトの回転動作と清掃テープの送り出し動作とが確実に連動し、コネクタの接合端面の汚れを確実に拭き取ることができる光ファイバコネクタ清掃用クリーナを提供する。【解決手段】光ファイバコネクタ清掃用クリーナ１０の進退機構は、第１ケーシング１１の内部に設置されて第２ケーシング１３が摺動可能に当接する固定部材１２と、第２ケーシング１３を固定部材１２に対して一方向前方へ付勢するコイルスプリングとから形成され、回転機構は、固定部材１２に設置されて一方向へ延びる第１ラックギアと、第２ケーシング１３の内部に回転可能に設置された第１歯車と、シャフト１４の基端部に連結された第２歯車とから形成され、第１歯車が、第１ラックギアに嵌合する第１の歯と、第２歯車に嵌合する第２の歯とを有する。【選択図】図１【図１】
0005596878.tif 000002
【図２】
0005596878.tif 000003
【図３】
0005596878.tif 000004
【図４】
0005596878.tif 000005
【図５】
0005596878.tif 000006
【図６】
0005596878.tif 000007
【図７】
0005596878.tif 000008
【図８】
0005596878.tif 000009
【図９】
0005596878.tif 000010
【図１０】
0005596878.tif 000011
【図１１】
0005596878.tif 000012
【図１２】
0005596878.tif 000013
【図１３】
0005596878.tif 000014
【図１４】
0005596878.tif 000015
【図１５】
0005596878.tif 000016
【図１６】
0005596878.tif 000017
【図１７】
0005596878.tif 000018
【図１８】
0005596878.tif 000019
【図１９】
0005596878.tif 000020
【図２０】
0005596878.tif 000021
【図２１】
0005596878.tif 000022
【図２２】
0005596878.tif 000023
【図２３】
0005596878.tif 000024